(57)【特許請求の範囲】
【請求項１】
入力装置に用いられる入力ペンにおいて、軸筒に開口孔を形成するとともに、筒体の両端にコイルスプリングにより付勢された係止部材を内蔵し、係止部材を筒体の両端より適宜突出させて構成し、この筒体を前記軸筒の開口孔に取り付け、係止部材が入力装置の入力ペン収納部に係合して入力ペンが入力装置に収納されることを特徴とする入力ペン。
【請求項２】
筒体の両端を内側に変形させ、この変形された両端で係止部材を受け止めることを特徴とする請求項１記載の入力ペン。
【発明の詳細な説明】
【０００１】
【発明の属する技術分野】
本発明は、入力装置に収納されて携帯される入力ペンに関するものである。
【０００２】
【従来の技術】
従来、携帯情報端末等の入力装置に用いられる入力ペンは、入力装置を買った時に付属品として付いている入力ペンを使用している人もいるが、より機能が充実した入力ペンを購入して使用している人が非常に多かった。しかし、携帯情報端末の入力ペン収納部は、個々に内径や係止手段が異なっているために、それぞれの携帯情報端末に合わせた専用の入力ペンを購入する必要があった。
【０００３】
【発明が解決しようとする課題】
しかし、それぞれの携帯情報端末専用の入力ペンは、携帯情報端末が新しい機種に変更になった場合には使用できなくなってしまうものであった。又、入力ペンを購入した人が別の携帯情報端末に代えた場合にも、持っている入力ペンが使用できず、新たに買い換えなければならなかった。
【０００４】
【課題を解決するための手段】
本発明は、上記目的を達成するために、入力装置に用いられる入力ペンにおいて、軸筒に開口孔を形成するとともに、筒体の両端にコイルスプリングにより付勢された係止部材を内蔵し、係止部材を筒体の両端より適宜突出させて構成し、この筒体を前記軸筒の開口孔に取り付け、係止部材が入力装置の入力ペン収納部に係合して入力ペンが入力装置に収納されることを第１の要旨とする。又、筒体の両端を内側に変形させ、この変形された両端で係止部材を受け止めることを第２の要旨とする。
【０００５】
【実施例】
以下、図１、図２及び図３に基づいて本発明の入力ペンを説明する。尚、図１の左側を前方とし右側を後方とする。先ず、合成樹脂製の前部軸筒１の前部孔１Ａに円周方向の凹溝１Ｂを形成する。また、合成樹脂製の前部入力部材２の外周面に前端が垂直でかつ後方に行くに従って縮径された外鍔２Ａを形成する。この前部入力部材２を前記前部軸筒１の前部孔１Ａに圧入固着するが、この時、前部軸筒１の凹溝１Ｂに前部入力部材２の外鍔２Ａを嵌め込むことにより、前部入力部材２を強固に圧入固着する。この前部入力部材２の先端部を適宜丸めて入力部２Ｂを形成する。
【０００６】
前部軸筒１の後部外面１Ｃにはステンレス等の金属パイプからなる中間部軸筒３が圧入固着される。この中間部軸筒３の後部にねじ駒４が圧入固着され、このねじ駒４に後部内軸５が着脱可能に螺合される。又、前部軸筒１の保持孔１Ｄにはボールペンレフィール６の尾端部６Ａが嵌合されるとともに、ボールペンレフィール６の筆記部６Ｂが前記後部内軸５の後端より後方に適宜突出する。尚、ボールペンレフィール６の尾端部６Ａは長手方向に切溝が形成されて撓み可能に構成されているので、適度の嵌合力が得られ、ボールペンレフィール６の着脱が容易に行える構成となっている。
【０００７】
この後部内軸５には後部軸筒７が着脱可能に嵌合され、後部軸筒７の周面に相対させて開口孔７Ａを形成する。また、開口孔７Ａの縁には四角形の平面７Ｂが形成され、開口孔７Ａの縁が同一平面上に形成される。更に、後部軸筒７の後端部には太径の内孔７Ｃが形成され、かつ、後部外面には隆起部７Ｄが形成される。又、図２に示したように、ステンレスパイプ製の筒体８の両側に、先端９Ａが略半球状でかつ外鍔９Ｂが形成された係止部材９をそれぞれ内蔵し、係止部材９間にコイルスプリング１０を張架する。又、筒体８の両端を内側に変形させ、この筒体８の両端で係止部材９の外鍔９Ｂを受け止めることにより、係止部材９の先端９Ａを筒体８の両端から適宜突出させる。尚、係止部材９は合成樹脂、ゴムあるいは金属等により構成される。この筒体８を前記後部軸筒７の開口孔７Ａに圧入固着し、係止部材９の先端９Ａが後部軸筒７の外周より適宜突出する。
【０００８】
更に、後部軸筒７の後端部に形成された内孔７Ｃに、軟質の後部入力部材１１が取り付けられ、後部入力部材１１には略半球状の入力部１１Ａが形成される。
この後部入力部材１１はゴム等の柔らかい材料で構成される。
【０００９】
以上のように構成された後部軸筒７を前記後部内軸５に着脱可能に嵌合し、ボールペンレフィール６の筆記部６Ｂを後部軸筒７により保護する。
【００１０】
尚、前部軸筒１、中間部軸筒３及び後部軸筒７により軸筒を構成する。
【００１１】
以上のように構成された入力ペンは、図４及び図５に示したように携帯情報端末１２の収納部１２Ａに挿入され、後部軸筒７に取り付けられた係止部材９の先端９Ａが収納部１２Ａの内面に圧接されて係合され、入力ペンが揺動することなく収納部１２Ａに収納される。又、後部軸筒７の隆起部７Ｄが収納部１２Ａより適宜突出される。
【００１２】
従って、入力ペンを取り出す場合には、隆起部７Ｄを押し出し、入力ペンを外す。そして、細かい文字等を入力する場合には、前部入力部材２を、入力ペンの押圧力を検出する感圧式のタッチパネルに押し付けて入力を行うことにより精密な入力が行える。又、ポインティング入力を行う場合には、軟質の後部入力部材１１をタッチパネルに押し付けて行う。
【００１３】
更に、ボールペンレフィール６を使用する場合には、後部軸筒７を外すことにより、ボールペンレフィール６の筆記部６Ｂが露出し、筆記を行うことができる。又、ボールペンレフィール６のインキが消耗して取り換える場合には、中間部軸筒３のねじ駒４から後部内軸５の螺合を外し、ボールペンレフィール６の筆記部６Ｂを指で保持して引き抜き、新しいボールペンレフィール６を装着する。
【００１４】
図６は本発明の他の実施例を示すもので、係止部材１０９の先端１０９Ａを山形に構成し、この係止部材１０９の後部に段部１０９Ｃを構成する。この係止部材１０９を筒体１０８の両側にそれぞれ内蔵し、係止部材１０９の段部１０９Ｃにコイルスプリング１０を張架する。また、筒体１０８の両端を内側に変形させ、この筒体１０８の両端で係止部材１０９を受け止めることにより係止部材１０９の先端１０９Ａを筒体１０８の両端から適宜突出させる。
【００１５】
図７は更に本発明の他の実施例を示すもので、筒体２０８の両側に内蔵されかつコイルスプリング１０により付勢される係止部材２０９を球状に構成したものである。
【００１６】
尚、本発明は上記実施例に限定されるものではなく、筒体は黄銅で構成しても良い。
【００１７】
また、ボールペンレフィールをなくし、前部軸筒、中間部軸筒及び後部軸筒を一体で軸筒とし構成しても良い。
【００１８】
更に、上記実施例は入力ペンの押圧力を検出する感圧式の手書き入力装置で説明したが、本発明の入力ペンの入力手段は上記実施例に限定されるものではなく、従来知られている種々の入力手段に用いられる入力ペンに利用できるものである。
【００１９】
【発明の効果】
以上詳述した本発明の入力ペンは、筒体内に内蔵された係止部材がコイルスプリングにより付勢されて、筒体の両端より突出する。この筒体を軸筒の開口孔に取り付けることにより、係止部材が収納部の内面に圧接して、入力ペンが収納される。
【００２０】
従って、本発明の入力ペンは、収納部の形状が異なる種々の携帯情報端末に収納することができるとともに、入力ペンの軸筒と収納部に隙間が生じても揺動することなく収納することができる。しかも、係止部材を内蔵した筒体を軸筒の開口孔に取り付けるために、組立が簡単に行えるとともに、係止部材の取り付けが確実となって外れる恐れがないという効果が奏せられるものである。
【図面の簡単な説明】
【図１】本発明における入力ペンを示す断面図である。
【図２】図１のＡ−Ａ線を示す断面図である。
【図３】図１の後部軸筒、筒体及び係止部材を示す拡大平面図である。
【図４】図１の入力ペンが携帯情報端末の収納部に収納された状態を示す断面図である。
【図５】図４のＡ−Ａ線を示す主要部断面図である。
【図６】本発明の筒体及び係止部材における他の実施例を示す断面図である。
【図７】本発明の筒体及び係止部材における更に他の実施例を示す断面図である。
【符号の説明】
８  筒体
９  係止部材
１０  コイルスプリング
１０８  筒体
１０９  係止部材
２０８  筒体
２０９  係止部材
【図１】
0004565407.tif 000002
【図２】
0004565407.tif 000003
【図３】
0004565407.tif 000004
【図４】
0004565407.tif 000005
【図５】
0004565407.tif 000006
【図６】
0004565407.tif 000007
【図７】
0004565407.tif 000008